(57)【要約】      （修正有）【課題】ハウス栽培用シート軸の巻き取り巻き戻し操作が迅速にできる【解決手段】回転操作片部４又はストッパー操作片部１４のいずれか一方の中央基軸部１３に軸心を中心に連結軸孔部４１を設けると共に、他方の駆動軸１又は従動軸２に連結軸孔部４２を設け、前記両方の連結軸孔部４１，４２に回転自在に嵌合する連結軸４０を設けてなるハウス栽培用シート等の巻き取り軸装置を提供するものである。【選択図】図１
0003132120.tif 000002
【実用新案登録請求の範囲】
【請求項１】
円筒状の固定ケース２０と、固定ケース２０内に外周面が密着して回転可能に収納されると共に両端部が固定ケース２０の内方に突出して押圧片部３１，３２を形成するストッパーコイル３０と、固定ケース２０の一端側に回転自在に軸受けされてストッパーコイル３０内に回転自在に緩く接して挿入されストッパーコイル３０を巻き込み方向に回転するように前記押圧片部３１，３２に回転操作片部４が当接する駆動軸１と、固定ケース２０の他端側に回転自在に軸受けされてストッパーコイル３０内に回転自在に緩く接して挿入されストッパーコイル３０を巻き戻し方向に回転するように押圧片部３１，３２にストッパー操作片部１４が当接する従動軸１０と、回転操作片部４又はストッパー操作片部１４のいずれか一方にその基端部から軸芯を中心に一体に設けた中央基軸部１３と、中央基軸部１３の外周に回転自在に接する他方の回転操作片部４又はストッパー操作片部１４に設けた内周面部と、中央基軸部１３に軸心を中心に長手方向に沿って設けた連結軸孔部４１と、中央基軸部１３の連結軸孔部４１に相対して他方の駆動軸１又は従動軸２に設けた他方の連結軸孔部４２と、前記両方の連結軸孔部４１，４２に回転自在に嵌合する連結軸４０とからなるハウス栽培用シート等の巻き取り軸装置。
【請求項２】
請求項１に記載のハウス栽培用シート等の巻き取り軸装置において、回転操作片４及びストッパー操作片１４の先端面７，１６が相手方の駆動軸１及び従動軸１０に設けたガイド基部面６，１７に回転可能に密着すると共に、ガイド基部面６，１７に設けたガイドリング８，ガイド枠部１８がそれぞれ回転操作片部４又はストッパー操作片部１４の先端部外周をガイドするように設けてなるハウス栽培用シート等の巻き取り軸装置。
【請求項３】
請求項１又は２に記載のハウス栽培用シート等の巻き取り軸装置において、回転操作片部４又はストッパー操作片部１４のいずれか一方のガイド基部面６に連結軸孔部４２の外側に中央軸受部５を設けると共に、他方の中央基軸部１３の先端部に中央軸受部５に嵌合するように中央軸１５を突設して設けてなるハウス栽培用シート等の巻き取り軸装置。
【請求項４】
請求項１、２又は３に記載のハウス栽培用シート等の巻き取り軸装置において、回転操作片部４とストッパー操作片部１４との接触面に耐摩耗性と小摩擦抵抗性を有する接触面部材４３，４４を設けてなるハウス栽培用シート等の巻き取り軸装置。
【請求項５】
請求項１乃至４のいずれかに記載のハウス栽培用シート等の巻き取り軸装置において、駆動軸１及び又は従動軸１０を鋳造により成形加工してなるハウス栽培用シート等の巻き取り軸装置。
【請求項６】
請求項１乃至５のいずれかに記載のハウス栽培用シート等の巻き取り軸装置において、固定ケース２０にパッキング機能を有する軸受部材２２，２３によって駆動軸１及び従動軸１０を軸受すると共に、固定ケース２０内に潤滑剤を封入してなるハウス栽培用シート等の巻き取り軸装置。
【請求項７】
請求項６に記載のハウス栽培用シート等の巻き取り軸装置において、潤滑剤が、摩擦剤を混入してある潤滑剤からなるハウス栽培用シート等の巻き取り軸装置。
【請求項８】
請求項６又は７に記載のハウス栽培用シート等の巻き取り軸装置において、固定ケース２０を挟持する装置支持部材２６，２７の板バネ弾力によって軸受部材２２，２３を固定ケース２０に弾力的に組み込み固定してなるハウス栽培用シート等の巻き取り軸装置。
【考案の詳細な説明】
【技術分野】
【０００１】
本考案は、ハウス栽培用ハウスシート等の巻き取り軸装置に関する。
【背景技術】
【０００２】
本考案に関するハウス栽培用ハウスシート等の巻き取り軸装置は、手動ハンドル又は駆動モータ等により駆動軸を回転して、連動する従動軸に連結したハウスシートの巻き取り軸を回転してシートを巻き取り、適宜な位置で回転を停止すると、その位置を維持することができるものである。
【０００３】
従来、円筒状の固定ケース内に外周面が密着して回転可能に収納されると共に両端部が固定ケースの内方に突出して押圧片部を形成するストッパーコイルを設け、固定ケースの一端側に回転自在に軸受けされた駆動軸に、ストッパーコイル内に回転自在に挿入されストッパーコイルを巻き込み方向に回転するように押圧片部に当接する回転操作片部を設け、固定ケースの他端側に回転自在に軸受けされて駆動軸によって回転駆動される従動軸に、ストッパーコイル内に回転自在に挿入されストッパーコイルを巻き戻し方向に回転するように押圧片部に当接するストッパー操作片部を設けたものが知られている（特許文献１参照。）。
【０００４】
また、駆動軸や従動軸の回転操作片部又はストッパー操作片部に倒れ防止突片や支持片を設けて軸の倒れを防止し、回転力の伝達ロスをできるだけ小さくする装置（特許文献２参照。）や、駆動軸や従動軸の軸芯のズレを防止するため、軸芯部に相互に嵌合するガイド突起を設けたもの（特許文献３参照。）や、駆動軸や従動軸の基部において回転操作片部又はストッパー操作片部の先端部外周をガイドするもの（特許文献４参照。）が知られている。
【特許文献１】実公平５−３４８７号公報
【特許文献２】特開２００１−１１２３５６号公報
【特許文献３】特開２００３−１９９４４０号公報
【特許文献４】特開２００５−３１８８４５号公報
【考案の開示】
【考案が解決しようとする課題】
【０００５】
特許文献２又は３に開示された従来技術では、例えば、特許文献２の場合は、駆動軸や従動軸の相手の回転操作片部又はストッパー操作片部に抵触する位置、即ち、ストッパーコイルの押圧片部の間に位置して、相手の操作部にぶつからないように倒れ防止突片や支持片を小さく設けなければならないから、大きさや強度的且つ位置的に設計の自由度がない課題がある。
【０００６】
また、特許文献３の場合は、駆動軸や従動軸の回転操作片部又はストッパー操作片部に抵触しないように操作部と並行して別体に相互に係合するようにガイド突起部を突出して設けてあるため、加工が容易でないと共に、相手の操作部にぶつからないように小さく設けなければならないから、大きさや強度的且つ位置的に設計の自由度がない課題がある。
【０００７】
また、特許文献４の場合は、駆動軸や従動軸の回転操作片部又はストッパー操作片部の外周にはストッパーコイルが設けてあるから、に抵触しないように操作部と並行して別体に相互に係合するようにガイド突起部を突出して設けてあるため、加工が容易でないと共に、相手の操作部にぶつからないように小さく設けなければならないから、回転操作片部又はストッパー操作片部の先端部外周をガイドするガイド部材に大きい物を設けることができず、大きさや強度的且つ位置的に設計の自由度がない課題がある。
【課題を解決するための手段】
【０００８】
そこで、本考案は、請求項１に記載のように、円筒状の固定ケース２０と、固定ケース２０内に外周面が密着して回転可能に収納されると共に両端部が固定ケース２０の内方に突出して押圧片部３１，３２を形成するストッパーコイル３０と、固定ケース２０の一端側に回転自在に軸受けされてストッパーコイル３０内に回転自在に緩く接して挿入されストッパーコイル３０を巻き込み方向に回転するように前記押圧片部３１，３２に回転操作片部４が当接する駆動軸１と、固定ケース２０の他端側に回転自在に軸受けされてストッパーコイル３０内に回転自在に緩く接して挿入されストッパーコイル３０を巻き戻し方向に回転するように押圧片部３１，３２にストッパー操作片部１４が当接する従動軸１０と、回転操作片部４又はストッパー操作片部１４のいずれか一方にその基端部から軸芯を中心に一体に設けた中央基軸部１３と、中央基軸部１３の外周に回転自在に接する他方の回転操作片部４又はストッパー操作片部１４に設けた内周面部と、中央基軸部１３に軸心を中心に長手方向に沿って設けた連結軸孔部４１と、中央基軸部１３の連結軸孔部に相対して他方の駆動軸１又は従動軸２に設けた他方の連結軸孔部４２と、前記両方の連結軸孔部に回転自在に嵌合する連結軸４０とからなるハウス栽培用シート等の巻き取り軸装置を提供するものである。
【０００９】
また、本考案は、請求項２に記載のように、請求項１に記載のハウス栽培用シート等の巻き取り軸装置において、回転操作片４及びストッパー操作片１４の先端面７，１６が相手方の駆動軸１及び従動軸１０に設けたガイド基部面６，１７に回転可能に密着すると共に、ガイド基部面６，１７に設けたガイドリング８，ガイド枠部１８がそれぞれ回転操作片部４又はストッパー操作片部１４の先端部外周をガイドするように設けてなるハウス栽培用シート等の巻き取り軸装置を提供するものである。
【００１０】
また、本考案は、請求項３に記載のように、請求項１又は２に記載のハウス栽培用シート等の巻き取り軸装置において、回転操作片部４又はストッパー操作片部１４のいずれか一方のガイド基部面６に連結軸孔部４２の外側に中央軸受部５を設けると共に、他方の中央基軸部１３の先端部に中央軸受部５に嵌合するように中央軸１５を突設して設けてなるハウス栽培用シート等の巻き取り軸装置を提供するものである。
【００１１】
また、本考案は、請求項４に記載のように、請求項１、２又は３に記載のハウス栽培用シート等の巻き取り軸装置において、回転操作片部４とストッパー操作片部１４との接触面に耐摩耗性と小摩擦抵抗性を有する接触面部材４３，４４を設けてなるハウス栽培用シート等の巻き取り軸装置を提供するものである。
【００１２】
また、本考案は、請求項５に記載のように、請求項１乃至４のいずれかに記載のハウス栽培用シート等の巻き取り軸装置において、駆動軸１又は従動軸１０を回転操作片部４又はストッパー操作片部１４を含めて鋳造により成形加工してなるハウス栽培用シート等の巻き取り軸装置を提供するものである。
【００１３】
また、本考案は、請求項６に記載のように、請求項１乃至５のいずれかに記載のハウス栽培用シート等の巻き取り軸装置において、固定ケース２０にパッキング機能を有する軸受部材２２，２３によって駆動軸１及び従動軸１０を軸受すると共に、固定ケース２０内に潤滑剤を封入してなるハウス栽培用シート等の巻き取り軸装置を提供するものである。
【００１４】
また、本考案は、請求項７に記載のハウス栽培用シート等の巻き取り軸装置において、潤滑剤が、摩擦剤を混入してある潤滑剤からなるハウス栽培用シート等の巻き取り軸装置を提供するものである。
【００１５】
また、本考案は、請求項８に記載のように、請求項６又は７に記載のハウス栽培用シート等の巻き取り軸装置において、固定ケースを挟持する装置支持部材２６，２７の板バネ弾力によって軸受部材２２，２３を固定ケース２０に弾力的に組み込み固定してなるハウス栽培用シート等の巻き取り軸装置を提供するものである。
【考案の効果】
【００１６】
以上の通り、本考案はに係るハウス栽培用ハウスシート等の巻き取り装置によれば、請求項１に記載のように、円筒状の固定ケース２０と、固定ケース２０内に外周面が密着して回転可能に収納されると共に両端部が固定ケース２０の内方に突出して押圧片部３１，３２を形成するストッパーコイル３０と、固定ケース２０の一端側に回転自在に軸受けされてストッパーコイル３０内に回転自在に緩く接して挿入されストッパーコイル３０を巻き込み方向に回転するように前記押圧片部３１，３２に回転操作片部４が当接する駆動軸１と、固定ケース２０の他端側に回転自在に軸受けされてストッパーコイル３０内に回転自在に緩く接して挿入されストッパーコイル３０を巻き戻し方向に回転するように押圧片部３１，３２にストッパー操作片部１４が当接する従動軸１０と、回転操作片部４又はストッパー操作片部１４のいずれか一方にその基端部から軸芯を中心に一体に設けた中央基軸部１３と、中央基軸部１３の外周に回転自在に接する他方の回転操作片部４又はストッパー操作片部１４に設けた内周面部と、中央基軸部１３に軸心を中心に長手方向に沿って設けた連結軸孔部４１と、中央基軸部１３の連結軸孔部４１に相対して他方の駆動軸１又は従動軸２に設けた他方の連結軸孔部４２と、前記両方の連結軸孔部４１，４２に回転自在に嵌合する連結軸４０とからなるハウス栽培用シート等の巻き取り軸装置の構成を有することにより、回転操作片部４又はストッパー操作片部１４の一方の内周面と他方の中央基軸部１３の外周面とが回転自在に接すると共に、中央基軸部１３の連結軸孔部４１と他方の駆動軸１又は従動軸２に設けた連結軸孔部４２の両方に連結軸４０が回転自在に嵌合する両者の相乗作用によって、駆動軸１と従動軸１０と間の相当の負荷が加わっても軸心が倒れるようなことが無く連動回転が円滑且つ確実に行われることになり、ハウス栽培用シート軸の巻き取り巻き戻し操作が迅速にできる効果がある。
【００１７】
また、本考案は、請求項２に記載のように、請求項１に記載のハウス栽培用シート等の巻き取り軸装置において、回転操作片４及びストッパー操作片１４の先端面７，１６が相手方の駆動軸１及び従動軸１０に設けたガイド基部面６，１７に回転可能に密着すると共に、ガイド基部面６，１７に設けたガイドリング８，ガイド枠部１８がそれぞれ回転操作片部４又はストッパー操作片部１４の先端部外周をガイドするように設けてなる構成を有することにより、駆動軸１と従動軸１０との連動性が更に向上する効果がある。
【００１８】
また、本考案は、請求項３に記載のように、請求項１又は２に記載のハウス栽培用シート等の巻き取り軸装置において、回転操作片部４又はストッパー操作片部１４のいずれか一方のガイド基部面６に連結軸孔部４２の外側に中央軸受部５を設けると共に、他方の中央基軸部１３の先端部に中央軸受部５に嵌合するように中央軸１５を突設して設けてなる構成を有することにより、駆動軸１と従動軸１０との連動性が更に向上する効果がある。
【００１９】
また、本考案は、請求項４に記載のように、請求項１、２又は３に記載のハウス栽培用シート等の巻き取り軸装置において、回転操作片部４とストッパー操作片部１４との接触面に耐摩耗性と小摩擦抵抗性を有する接触面部材４３，４４を設けてなる構成を有することにより、回転操作片部４とストッパー操作片部１４とが円滑に接触すると共に耐久性に優れた駆動軸１と従動軸１０との連動性が向上する効果がある。
【００２０】
また、本考案は、請求項５に記載のように、請求項１乃至４のいずれかに記載のハウス栽培用シート等の巻き取り軸装置において、駆動軸１及び従動軸１０を回転操作片部４又はストッパー操作片部１４を含めて鋳造により成形加工してなる構成を有することにより、駆動軸１及び従動軸１０を中空の連結軸孔部４１，４２や回転操作片部４又はストッパー操作片部１４を含めてを鋳造手段により容易に安価に成形加工することができる効果がある。
【００２１】
また、本考案は、請求項６に記載のように、請求項１乃至５のいずれかに記載のハウス栽培用シート等の巻き取り軸装置において、固定ケース２０にパッキング機能を有する軸受部材２２，２３によって駆動軸１及び従動軸１０を軸受すると共に、固定ケース２０内に潤滑剤を封入してなる構成を有することにより、悪天候による雨水や塵埃の浸入を阻止することができるのみならず、潤滑剤によって駆動軸１及び従動軸１０の軽快、円滑且つ確実な連動性を維持することができる効果がある。
【００２２】
また、本考案は、請求項７に記載のハウス栽培用シート等の巻き取り軸装置において、潤滑剤が、摩擦剤を混入してある潤滑剤からなる構成を有することにより、駆動軸１による巻き取り回転駆動時には巻き込まれて緩く固定ケース２０に接触するストッパーコイル３０が潤滑剤の潤滑作用により円滑に回転する一方、従動軸１０の巻き戻し時には、ストッパーコイル３０が拡張して固定ケース２０に強力に圧着すると、ストッパーコイル３０と固定ケース２０の圧着面に摩擦剤が介在してブレーキが掛かり、従動軸１０が強力に停止状態に維持されることとなる。
【００２３】
また、本考案は、請求項８に記載のように、請求項６又は７に記載のハウス栽培用シート等の巻き取り軸装置において、固定ケース２０を挟持する装置支持部材２６，２７の板バネ弾力によって軸受部材２２，２３を固定ケース２０に弾力的に組み込み固定してなる構成を有することにより、軸受部材２２，２３を確実に支持することができる効果がある。
【考案を実施するための最良の形態】
【００２４】
図１乃至図３に記載の実施例において、１は手動ハンドル又は駆動モーターに直接又は減速機構等を介して連結される駆動軸で、ハンドル等との連結軸部２側は中空パイプ状をなし、駆動軸１の先端部３側は外方に拡張すると共に、先端部３の軸芯には中央軸受部５が凹孔状に設けてある。また、図８に明示するように、駆動軸１の先端部３の外周には中央軸受部５を軸芯として円弧状断面を有する回転操作片部４が一体に設けてある。
【００２５】
駆動軸１の回転操作片部４は、図４及び図５に記載のように、ストッパーコイル３０の押圧片部３１，３２の間に、回転に伴ってストッパーコイル３０を巻き込む方向から当接するように緩く嵌合するように構成してある。
従って、駆動軸１を回転するときには、回転操作片部４が、図５に記載のように、ストッパーコイル３０を巻き込むように押圧片部３１又は３２に当接するから、ストッパーコイル３０は縮小して固定ケース２０の内壁に緩く嵌合した状態になり、摩擦抵抗が減少して容易に回転して従動軸１０のストッパー操作片１４を押し回し、従動軸１０を巻き取り又は巻き戻し方向に回転することができる。
【００２６】
他方、１０はハウスシート巻き取り軸に連結される従動軸で、ハウスシート軸との連結部１１側は中空状をなし、従動軸１０の先端部１２側は外方に拡張すると共に、先端部１２の先には軸芯部を含んで扇型状に中央軸基部１３とストッパー操作片部１４が一体に設けてあり、中央軸基部１３の先端面１６に前記駆動軸１の中央軸受部５に嵌合する中央軸１５が一体に設けてある。
【００２７】
また、従動軸１０の中央基軸部１３には、軸心を中心に長手方向に沿って相当に深い連結軸孔部４１が設けてあると共に、この中央基軸部１３の連結軸孔部４１に相対して他方の駆動軸１にも同様に連結軸孔部４２が設けてあり、前記両方の連結軸孔部４１，４２に回転自在に長軸の連結軸４０が嵌合し、駆動軸１と従動軸１０とがほぼ同一の軸心を維持し、軸心がずれることなく、ガタ無く連結して、円滑且つ確実に連動回転するように接続されている。
【００２８】
なお、連結軸４０は駆動軸１及び従動軸１０よりも耐摩耗性が大きく、摩擦抵抗が小さく、且つ、曲げ強度、剪断強度が充分に大きい部材が用いられている。
連結軸４０の両端部は連結軸孔部４１，４２の孔底に緩く当接するように軸方向にやや短めに設けてあり、中央軸基部１３の広い先端面１６が連結軸４０の軸外周接触面として、連結軸４０の両端面より広い面積を以て駆動軸１のガイド基部面６に密着し、駆動軸１と従動軸１０とが軸心がずれることなく確実に連動回転し得るように設けてある。
【００２９】
図９に記載の実施例の場合、駆動軸１の先端部３には中央軸受部５が設けて無く、従って、従動軸１０の中央基軸部１３にも中央軸１５を設けて無いが、前述と同様の連結軸孔部４１，４２と連結軸４０を設けることによって、中央軸基部１３の先端面１６が連結軸４０の軸外周接触面として、広い面積を以て駆動軸１のガイド基部面６に密着し、駆動軸１と従動軸１０とが軸心がずれることなく、ガタ無く連結して、円滑且つ確実に連動回転するように接続されている。
【００３０】
また、中央軸基部１３の外周部は断面円弧状をなし、図５及び図７に記載のように、断面円弧状の中央軸基部１３に沿って前記駆動軸１の回転操作片部４が外接してガイドされるように構成してある。
図示の実施例の場合、駆動軸１の回転操作片部４の内周面及びその両側の操作面部には、耐摩耗性の大きい摩擦抵抗の少ないステンレス板からなる接触面部材４３が設けてあると共に、これに接触する従動軸１０の中央軸基部１３の外周部にも同様の接触面部材４４が設けてある。
【００３１】
また、駆動軸１の回転操作片部４の先端面７は、図１又は図９に記載のように、従動軸１０の先端部１２の中央軸基部１３のガイド基部面１７に対面して密着するように設けてあると共に、ガイド基部面１７に円弧状に突設したガイド枠部１８に内接してガイドされるように構成してある。
なお、ガイド枠部１８は、図示の環状に限らず、回転操作片部４の扇形状の外周部に当接してその回転を支持し案内する複数個のリング片、円柱片又は棒状片等からなる突起部であっても良い。
【００３２】
更に、駆動軸１においては、駆動軸１のガイド基部面６を囲んでガイドリング８が一体に設けてあり、従動軸１０のストッパー操作片部１４の扇形状の外周先端部をガイドリング８に嵌合して案内し、従動軸１０のストッパー操作片１４を駆動軸の１ガイド基部面６とガイドリング８で倒れることなく確実に支持して案内し得るように構成してある。
なお、ガイドリング８は、図示の環状に限らず、ストッパー操作片部１４の扇形状の外周部に当接してその回転を支持し案内する複数個のリング片、円柱片又は棒状片等からなる構成であっても良い。
【００３３】
他方、円筒状の固定ケース２０内には、前述の如く、外周面が密着して回転可能に収納されると共に両端部が固定ケース２０の内方に突出して押圧片部３１，３２を形成するストッパーコイル３０が設けてある。
固定ケース２０の両端部には軸受性能のある合成樹脂製の軸受部材２２，２３を嵌着して設けてあり、駆動軸１と従動軸１０の先端部外周に設けた軸受段部９，１９を密着状態で軸受けしている。固定ケース２０の両端部には円弧状に相対する２個所の切欠部２１が設けてあり、この切欠部２１に連続するように前記軸受部材２２，２３の外側にも切欠部２４，２５が設けてあり、これら切欠部２１，２４及び２１，２５に装置支持部材２６，２７に設けた同一円弧形状の支持突起片部２８，２９が嵌合して、固定ケース２０を軸受部材２２，２３と共に挟持している。
【００３４】
即ち、図１又は図９において、コ字型断面の型板からなる装置支持部材２６，２７の内側中央に設けた固定ケース２０の外周が嵌合する円形の支持孔に、前記切欠部２１，２４及び２１，２５に嵌合する支持突起片部２８，２９が設けてある一方、コ字型断面形状の型板から外側に屈曲して設けた取付片部２６ａ，２７ａを合致させて固定することによって型板の板バネ弾力が生じ、支持突起部２８，２９に固定ケース２０を軸受部材２２，２３共々両側から弾性的に挟持するように構成してある。
【００３５】
軸受部材２２，２３の外周にはパッキングリング２２ａ，２３ａが設けてあり、固定ケース２０の内周面に密着して固定ケース２０内を密封することができるように構成してある。実施例の場合、固定ケース２０内には微粉末の摩擦材を混入したグリスからなる潤滑剤が充填されており、駆動軸１による巻き取り回転駆動時には巻き込まれて緩く固定ケース２０に接触するストッパーコイル３０がグリスの潤滑作用により円滑に回転する一方、従動軸１０の巻き戻し時には、ストッパーコイル３０が拡張して固定ケース２０に圧着すると、ストッパーコイル３０と固定ケース２０の圧着面に摩擦材が介入してブレーキが掛かり、従動軸１０が停止状態に維持されることとなる。
【００３６】
また、装置支持部材２６，２７はハウスシートの巻き上げ部に沿って設けたガイド部材に上下動可能にガイドされ、ハウスシートの巻き上げ巻き戻しに伴って固定ケース２０を一体に上下動自在に案内するように構成してある。
操作ハンドルから手を離して駆動軸１の駆動を停止すると、従動軸２０はハウスシートの自重により巻き戻し方向に回転しようとするが、図６に記載のように、ストッパー操作片部１４は、ストッパーコイル３０を巻き戻すように押圧片部３１又は３２に当接するから、ストッパーコイル３０は外周に拡張する方向の力を受けて固定ケース１の内壁に強力に嵌合した状態になり、回転することなく固定して従動軸１０のストッパー操作片１４を停止させ、ハウスシートを停止状態に維持すると共に、駆動軸１側に何らの力を及ぼさなくなる。
【００３７】
なお、図示の実施例の如く、ストッパーコイル３０を巻き込むように設けた押圧片部３１又は３２の角度間隔を巻き込み側より大きく設定し、駆動軸１側の中空円弧状の回転操作片部４の円弧角度を１８０度を超えて大きく構成することによって、駆動軸１側の中空円弧状の回転操作片部４の強度を大きくすることができる効果がある。
また、この場合、図示の実施例の如く、ストッパーコイル３０を巻き戻すように設けた押圧片部３１又は３２の角度間隔を巻き込み側より小さく設定しても、従動軸１０側の軸芯部を含んで扇型状に中央軸基部１３と一体に設けてあるストッパー操作片部１４は、回転操作片部４の円弧角度に比較して１８０度より小さくても十分な強度を維持することができる。
【００３８】
なお、また、中空円弧状の回転操作片部４の円弧角度を１８０度を超えて大きく構成することによって、押圧片部３１又は３２を間に挟んだストッパー操作片１４との間隔をできるだけ小さく設定することができるから、巻き取り又は巻き戻し回転操作時の停止直後の巻き取り軸のストップするまでの回転角度を小さくすることができる効果がある。
【００３９】
また、本考案によれば、ストッパーコイル３０を収容する固定ケース２０内に、駆動軸１又は従動軸１０の連結軸４０と連結軸受孔部４１，４２、中央軸受部５と中央軸１５、及び、操作片部４，１４とガイド枠部１８或いはガイドリング８を、軸方向から相互に密着して高精度に嵌合して組み合わせることができる構成であるから、複雑な構造からなる駆動軸１及び従動軸１０を工作機械加工ではなく鋳造により比較的簡単に製造することができる効果がある。
【図面の簡単な説明】
【００４０】
【図１】本考案装置の一実施例の要部の中央縦断面図。
【図２】その要部の分解斜視図。
【図３】その要部の分解斜視図。
【図４】その一要部の横断面図。
【図５】その要部の作動態様を示す横断面図。
【図６】その他の要部の横断面図。
【図７】その要部の作動態様を示す横断面図。
【図８】本考案装置の要部の斜視図。
【図９】本考案装置の他の実施例の中央縦断面図。
【符号の説明】
【００４１】
１      駆動軸
２      ハンドル連結軸部
３      先端部
４      回転操作片部
５      中央軸受部
６      ガイド基部面
７      先端面
８      ガイドリング
９      軸受段部
１０    従動軸
１１    ハウスシート連結軸部
１２    先端部
１３    中央基軸部
１４    ストッパー操作片部
１５    中央軸
１６    先端面
１７    ガイド基部面
１８    ガイド枠部
１９    軸受段部
２１    切欠部
２２    軸受部材
２２ａ  パッキングリング
２３    軸受部材
２３ａ  パッキングリング
２４    切欠部
２５    切欠部
２６    装置支持部材
２６ａ  取付片部
２７    装置支持部材
２７ａ  取付片部
２８    支持突起片部
２９    支持突起片部
３０    ストッパーコイル
３１，３２  押圧片部      
４０    連結軸
４１    連結軸孔
４２    連結軸孔
４３    接触面部材
４４    接触面部材
【図１】
0003132120.tif 000003
【図２】
0003132120.tif 000004
【図３】
0003132120.tif 000005
【図４】
0003132120.tif 000006
【図５】
0003132120.tif 000007
【図６】
0003132120.tif 000008
【図７】
0003132120.tif 000009
【図８】
0003132120.tif 000010
【図９】
0003132120.tif 000011